(57)【要約】【課題】  アーチ状のシート支持体を畑に列設し、それにビニールシートを被せてかまぼこ型の温室を作る場合、ビニールシートが風で飛ばないようにするには、シート支持体の間隔の中間付近でビニールシートの上からひもで押さえていた。この作業はビニールシートが弛まないよう引っ張っていてくれる補助作業者を必要とし、一人ではやりづらいものであった。【解決手段】  シート支持体４と固定用帯体１とで温室構成部材を構成する。アーチ状のシート支持体４の外周には、所定間隔で突起５を設けておき、固定用帯体１には、前記所定間隔と同じ間隔で突起受容孔２を開けておく。シート支持体４の上にビニールシート３を被せ、その上に固定用帯体１を当て、突起５を包んだ部分に突起受容孔２を嵌める。既に固定用帯体１が取り付けられた隣のシート支持体４との間が弛まないようにしつつ固定用帯体１を取り付けさえすれば、温室全体としても弛むことなくビニールシート３を張ることが出来る。【選択図】        図１
0003111038.tif 000002
【実用新案登録請求の範囲】
【請求項１】
全体としてアーチ形に曲げられた棒状をし、その外周に所定の間隔を置いて突起が設けられているシート支持体と、
可撓性材料で帯状に作られ、その中央部分に前記所定の間隔と同じ間隔で前記突起を受容し得る突起受容孔が開けられている固定用帯体と
から成ることを特徴とする温室構成部材。
【考案の詳細な説明】
【技術分野】
【０００１】
本考案は、ビニールシートをかまぼこ型に張った形の温室を作るための温室構成部材に関するものである。
【背景技術】
【０００２】
作物を栽培するため、ビニールシートをかまぼこ型（半円筒形）に張った形の温室が、畑等にしばしば作られている。そのような温室を構成する部材としては、ビニールシートの他、幾つかの部材が用いられている。
図３は、従来の温室構成部材を示す図である。図３において、３はビニールシート、６は作物、７は土、８は温室、１０はシート支持体、１１はひも、１２は杭である。シート支持体１０は、金属またはプラスチックで作られており、アーチ形状とされている。
【０００３】
図３（１）はかまぼこ型の温室を作る途中の状態を示し、図３（２）は完成した状態を示している（いずれも断面）。従来、温室を作るには、次のような手順で作っていた。
（１）畑の土７にシート支持体１０の両端を突き刺すことにより、固定設置する。そして、ビニールシート３を所定のアーチ状に支えるのに支障を来さない程度の任意の間隔を置きながら、多くのシート支持体１０を列を成すように設置する。
（２）列状に設置されたシート支持体１０の上に、ビニールシート３を被せる。
【０００４】
（３）被せたビニールシート３の上に、ひも１１を掛ける。ひも１１の位置は、隣接するシート支持体１０のほぼ中間あたりの位置とする。ひも１１の両端は、土７に打った杭１２に結びつける。このひも１１により、ビニールシート３を押さえ付ける。こうすると、ビニールシート３は、シート支持体１０が在る位置ではそれより下方には下がらないように支持され、他方、シート支持体１０同士の中間位置では、ひも１１により上方から押さえられる形となるので、ピンと張られることになる。
また、シート支持体１０に被せたビニールシート３の両側の端部は、図３（２）に示す如く、土７に埋め込む。これらのことにより、ビニールシート３は風で飛ばないように押さえられる。
【０００５】
図４は、従来の温室構成部材を使用し、上記のようにして作った温室（第１の例）を示す図である。ビニールシート３の下に配設するシート支持体１０，ビニールシート３の上に掛けるひも１１が、交互に施されている。
図５は、従来の温室構成部材を使用して作った温室の第２の例を示す図である。符号は図４のものに対応している。この例では、ビニールシート３を上から押さえる部材として、ひも１１を用いるのではなく、図示する如くこれにもシート支持体１０を用いるようにしている（即ち、図４でひも１１を掛けている位置に、シート支持体１０を使用する。）。この例のようにして温室を作れば、ひも１１を使用する図４の温室に比べ、短時間で完成することが出来る。
【考案の開示】
【考案が解決しようとする課題】
【０００６】
従来の温室構成部材を使用して第１の例のような温室を作る場合、シート支持体１０に被せたビニールシート３を固定する作業が、とてもやりづらいという問題点があった。
ひも１１は、隣り合うシート支持体１０間の中間位置あたりに掛けるのであるが、この場合には、シート支持体１０の上に被せたビニールシート３を、列の方向に少し引っ張ってピンとさせておき、そのビニールシート３を少し押さえ気味となるような加減で、ひも１１を杭１２に結びつける必要がある。
【０００７】
従って、ひも１１を結びつける者の他に、ビニールシート３を列の方向にピンと引っ張っていてくれる補助作業者が居れば好都合であるが、そうでなければ、ビニールシート３をピンと引っ張ることと、ひも１１を結びつけることとの両方を一人でやらなければならず、極めて作業がやりづらかった。
また、第２の例のような温室を作る場合には、第１の例の温室に比べ、シート支持体１０の使用数がほぼ２倍となるので、コストが高くなるという問題点があった。
本考案は、上記のような問題点を解決することを課題とするものである。
【課題を解決するための手段】
【０００８】
前記課題を解決するため、本考案の温室構成部材は、全体としてアーチ形に曲げられた棒状をし、その外周に所定の間隔を置いて突起が設けられているシート支持体と、可撓性材料で帯状に作られ、その中央部分に前記所定の間隔と同じ間隔で前記突起を受容し得る突起受容孔が開けられている固定用帯体とから構成することとした。
【考案の効果】
【０００９】
本考案の温室構成部材によれば、アーチ状の突起付きシート支持体を畑等に列状に植設し、その上にビニールシートを被せ、ビニールシートが被せられた突起に固定用帯体を取り付けるだけで、ビニールシートが列方向に弛まないように固定することが出来る。そのため、ビニールシートの引っ張り役という補助作業者を要することなく、シート支持体に被せたビニールシートを一人で容易に固定することが出来る。また、２倍の数のシート支持体を使用するよりは、コストが安くなる。
【考案を実施するための最良の形態】
【００１０】
以下、本考案の実施形態を図面に基づいて詳細に説明する。
図１は、本考案の温室構成部材を示す図である。符号は図３のものに対応し、１は固定用帯体、２は突起受容孔、４はシート支持体、５は突起である。図１（１）は固定用帯体１の一部拡大図を示しており、図１（２）はかまぼこ型の温室を作る途中の状態を示し、図１（３）は完成した状態を示している（いずれも断面）。
【００１１】
本考案の温室構成部材は、固定用帯体１とシート支持体４とより成るものであるが、固定用帯体１は、図１（１）に示すように、可撓性材料（例、ビニール）で出来た帯体の中央部分に、所定の間隔を置いて突起受容孔２が開けられて構成されている。
一方、本考案のシート支持体４は、アーチ形状とされた金属製またはプラスチック製の棒で、その外周には所定間隔を置いて突起５が設けられている。この突起５が設けられている点で、従来のものと相違している。
なお、この突起５の間隔と前記突起受容孔２の間隔とは、同じ間隔となるように選定しておく。
【００１２】
図１（２）に従って、本考案により温室を作る手順を説明する。
（１）畑の土７に突起５の付いたシート支持体４の両端を突き刺すことにより、固定設置する。そして、ビニールシート３を所定のアーチ状に支えるのに支障を来さない程度の任意の間隔を置きながら、任意の本数のシート支持体４を、列を成すように設置する。
（２）列状に設置されたシート支持体４の上に、ビニールシート３を被せる。
【００１３】
（３）シート支持体４の突起５に被さったビニールシート３の上から、突起５に固定用帯体１の突起受容孔２を嵌めるようにして、固定用帯体１を取り付ける。即ち、シート支持体４の外周に、ビニールシート３を挟んで固定用帯体１が取り付けられる形となる。ビニールシート３は、突起５を包んだ状態で突起受容孔２に嵌められるから、ずれて弛むことがない。そのため、既に固定用帯体１が取付けられた隣のシート支持体４の所からのビニールシート３が弛まないようにしつつ、固定用帯体１を取り付ければ、その間のビニールシート３はピンとした状態に張ることが出来る。この作業は、ビニールシート３を弛まないように列方向に引っ張るという役の補助作業者を必要とすることなく、一人で行うことが出来る。
なお、シート支持体４に被せたビニールシート３の両側の端部は、図１（３）に示す如く、土７に埋め込む。これらのことにより、ビニールシート３は風で飛ばないように押さえられる。
【００１４】
図２は、本考案の温室構成部材を使用し、上記のようにして作った温室を示す図である。本考案の温室構成部材を使用して温室を作れば、ビニールシートが被せられた突起の上から固定用帯体を取り付けるので、既に固定用帯体が取り付けられている隣のシート支持体との間のビニールシートが弛まないように気をつけながら固定用帯体を取り付けさえすれば、両者の間のビニールシートはピンとした状態に張ることが出来る。それを繰り返して行けば、温室全体としてもピンとした状態に張ることが可能となる。
【図面の簡単な説明】
【００１５】
【図１】本考案の温室構成部材を示す図
【図２】本考案の温室構成部材を使用して作った温室を示す図
【図３】従来の温室構成部材を示す図
【図４】従来の温室構成部材を使用して作った温室の第１の例を示す図
【図５】従来の温室構成部材を使用して作った温室の第２の例を示す図
【符号の説明】
【００１６】
１…固定用帯体、２…突起受容孔、３…ビニールシート、４…シート支持体、５…突起、６…作物、７…土、８…温室、１０…シート支持体、１１…ひも、１２…杭
【図１】
0003111038.tif 000003
【図２】
0003111038.tif 000004
【図３】
0003111038.tif 000005
【図４】
0003111038.tif 000006
【図５】
0003111038.tif 000007